(57)【特許請求の範囲】
【請求項１】
基台に、木材を破砕する破砕機と、木材を破砕機に導く回転式タブとを備えた木材破砕機において、
回転式タブ(3) の開口部に、投入された木材を回転式タブ(3) に導くホッパー(5) を水平に対して傾動自在に設けると共に、傾動した状態で破砕作業を可能とした
ことを特徴とする木材破砕機。
【請求項２】
請求項１に記載の木材破砕機において、
回転式タブ(3) 内から外部への木材の飛散を防止する飛散防止カバー(7)
をホッパー(5) に設けた
ことを特徴とする木材破砕機。
【請求項３】
請求項２に記載の木材破砕機において、
ホッパー(5) に設けた飛散防止カバー(7) は回転式タブ(3)
の木材投入口(5d)に向けて傾斜させた
ことを特徴とする木材破砕機。
【請求項４】
請求項２又は３に記載の木材破砕機において、
前記破砕機(2) は、略水平な回転軸を有し、
回転式タブ(3) の開口部に木材投入口(7Ba) を形成する飛散防止カバー(7B)の縁部(7Bb)の方向は、平面視において破砕機(2) の回転軸方向から回転式タブ(3) の回転方向に所定量回転した方向である
ことを特徴とする木材破砕機。
【請求項５】
基台に、木材を破砕する破砕機と、投入された木材を破砕機に導く回転式タブと、回転式タブ内から外部への木材の飛散を防止する飛散防止カバーとを備えた木材破砕機において、
飛散防止カバー(7A)は、基台に取着した少なくとも二つの支持具(4A,4A)
に設けたそれぞれのピン(12)回りに回動自在な複数のフレーム(13a,13b,13c) と、複数のフレーム(13a,13b,13c) 間にわたって張られたシート(14)とにより伸縮可能に形成され、このシート(14)を伸縮させて回転式タブ(3)
の開口部を被覆自在とした
ことを特徴とする木材破砕機。
【請求項６】
請求項１〜請求項５のいずれか一項に記載の木材破砕機において、
木材破砕機(10)を移動式車両に搭載した
ことを特徴とする木材破砕機。
【発明の詳細な説明】
【０００１】
本発明は、木材破砕機に関する。
【０００２】
【従来の技術】
従来、木材破砕機で破砕された木材片の飛散を防止する飛散防止カバーとしては、例えば、図１０〜１２に示すような技術がある。その構成を図に基づいて説明する。
木材破砕機５０は、基台５１に、エンジン５２と、このエンジン５２によってプロペラシャフト５３を介して回転駆動される破砕機５４とを有する。また、破砕機５４の上方には、外部から投入された木材を破砕機５４に導くじょうご状の回転式タブ５５が設置されており、破砕機５４の外周面の一部は回転式タブ５５内に露出している。回転式タブ５５の上縁には図１１，１２に示すように、破砕機５４の回転によって破砕された木材片の飛散方向Ｑに対向して、この回転式タブ５５の上端部に近接する下端縁を有するシェル状の飛散防止カバー５６が配置されている。また図１０に示すように、破砕機５４の下方には破砕された木材片を外部に排出するコンベア５８が設置されている。
【０００３】
上記の構成によると、回転式タブ５５の上部開口部（投入口）から投入された木材は回転式タブ５５の回転によって破砕機５４に導かれ、破砕機５４により破砕される。破砕された木材片は、コンベア５８により外部に排出される。破砕機５４により破砕されたときに破砕機５４の回転方向に伴って図１１に示す方向Ｑへ飛散する木材片は、飛散防止カバー５６により外部への飛散が防止される。
【０００４】
【発明が解決しようとする課題】
しかしながら、上記従来技術には次のような問題がある。
（１）木材を回転式タブ５５内に投入し易くするために、飛散防止カバー５６は回転式タブ５５の投入口を充分には覆うことができない。このため、破砕された木材片が回転式タブ５５の投入口から外部に飛散し易い。また、図１２に示すように、木材片の飛散方向Ｑに対向して配置されているシェル状の飛散防止カバー５６に強い勢いで衝突した木材片が、図示の方向Ｓに跳返って回転式タブ外に飛散することがあり、飛散防止効果が充分に得られない。
（２）破砕機５４の上方に位置する回転式タブ５５の上部開口部から投入された木材が破砕機５４に直接衝突することがあるため、破砕機５４が損傷を受け易い。
本発明は、上記従来技術の問題点に着目してなされたもので、木材片の飛散防止効果を充分発揮でき、また破砕機の損傷を防止できる木材破砕機を提供することを目的としている。
【０００５】
【課題を解決するための手段及び作用効果】
上記目的を達成するために、本発明に係る木材破砕機の第１の発明は、基台に、木材を破砕する破砕機と、木材を破砕機に導く回転式タブとを備えた木材破砕機において、回転式タブの開口部に、投入された木材を回転式タブに導くホッパーを水平に対して傾動自在に設けると共に、傾動した状態で破砕作業を可能とした構成としている。
【０００６】
第１の発明によれば、回転式タブの開口部にホッパーを設けることにより、回転式タブの開口部はホッパーにより覆われる。これにより、破砕機により破砕された木材片が飛散してもホッパーの内壁に衝突して反射し、回転式タブ内に飛散する。また、強い勢いで衝突して反射した木材片は反対側のホッパーの内壁により反射する。したがって、回転式タブ外に飛散する木材片が減少するので、飛散防止効果を向上できる。また、ホッパーにより回転式タブの開口部への木材投入が容易となり、木材の破砕作業能率が向上する。さらに、ホッパーは使用状態に応じて選択的に傾動され、木材破砕作業時にはホッパーを水平に対して傾斜させて破砕作業を容易にし、本木材破砕機の輸送時にはホッパーを傾動させて水平にすることにより、ホッパーの高さ、ひいては木材破砕機の車高を輸送限界値内に収めることができる。この結果、木材破砕機の破砕作業能率と共に輸送性も向上できる。
【００１１】
本発明に係る木材破砕機の第２の発明は、第１の発明において、回転式タブ内から外部への木材の飛散を防止する飛散防止カバーをホッパーに設けた構成としている。
【００１２】
第２の発明によれば、ホッパーに飛散防止カバーを設けたので、破砕機から飛散した木材片はホッパー及び飛散防止カバーの内壁で反射し、その大部分が回転式タブの内部に飛散する。したがって、回転式タブの外部に飛散する木材片が大幅に減少するので、飛散防止効果が確実に得られる。
【００１３】
本発明に係る木材破砕機の第３の発明は、第２の発明において、ホッパーに設けた飛散防止カバーは回転式タブの木材投入口に向けて傾斜させた構成としている。
【００１４】
第３の発明によれば、ホッパーに設けた飛散防止カバーを回転式タブの木材投入口に向けて傾斜させたので、飛散防止カバーに強い勢いで衝突した木材片は飛散防止カバーで反射しても木材投入口の方に飛散し難くなる。したがって、飛散防止効果を確実に発揮できる。また、飛散防止カバーはホッパーに投入された木材を投入口に移送するシュータとしての役目も有しているので、木材を回転式タブ内へ投入し易くなり、木材の破砕作業能率が向上する。さらに、投入された木材は直接破砕機に衝突することがなく、シュータ（飛散防止カバー）に衝突するので、破砕機の破損を防止できる。
【００１５】
本発明に係る木材破砕機の第４の発明は、第２又は第３の発明において、前記破砕機は、略水平な回転軸を有し、回転式タブの開口部に木材投入口を形成する飛散防止カバーの縁部の方向は、平面視において破砕機の回転軸方向から回転式タブの回転方向に所定量回転した方向であることを特徴とする。
【００１６】
破砕機で破砕された木材片は、通常、破砕機の回転方向と回転式タブの回転方向との合成方向に飛散する。第４の発明によれば、回転式タブの木材投入口を形成する飛散防止カバーの縁部の方向を上記合成方向に応じて、つまり飛散防止カバーが合成方向と対向するように設定しているので、合成方向に飛散する木材片が飛散防止カバーに衝突して回転式タブの内部に戻される量が増加する。このため、回転式タブの外部に飛散する木材片の量を大幅に低減できる。
【００１９】
本発明に係る木材破砕機の第５の発明は、基台に、木材を破砕する破砕機と、投入された木材を破砕機に導く回転式タブと、回転式タブ内から外部への木材の飛散を防止する飛散防止カバーとを備えた木材破砕機において、飛散防止カバーは、基台に取着した少なくとも二つの支持具に設けたそれぞれのピン回りに回動自在な複数のフレームと、複数のフレーム間にわたって張られたシートとにより伸縮可能に形成され、このシートを伸縮させて回転式タブの開口部を被覆自在としたことを特徴とする。
【００２０】
第５の発明によれば、複数のフレームとシートとによって伸縮可能に形成された飛散防止カバーで回転式タブの開口部の広い範囲を覆うことにより、木材片の回転式タブ外への飛散を確実に防止できる。また、伸縮可能に形成された飛散防止カバーを縮小して飛散防止カバーの高さを輸送車両による輸送限界値内に収めることができ、これにより木材破砕機の輸送性を向上できる。
【００２１】
本発明に係る木材破砕機の第６の発明は、第１〜第５のいずれかの発明において、木材破砕機を移動式車両に搭載したことを特徴とする。
【００２２】
第６の発明によれば、木材破砕機を移動式車両に搭載して移動自在としたので、破砕する木材の複数の集積箇所間を移動して木材の破砕作業を行うことが可能となる。このため、固定式木材破砕機のように複数の集積箇所から木材破砕機まで木材を運搬する必要がなく、木材の破砕作業能率が向上する。また、作業現場へ搬送時の輸送車両への積載が容易となり、輸送時の作業性も向上できる。
【００２３】
【発明の実施の形態】
以下に、本発明の好ましい実施形態を図１〜９を参照して詳述する。
先ず、図１，２に基づいて第１実施形態の構成を説明する。
木材破砕機１０は、下部に走行自在な走行装置９を備え、走行装置９上に基台１を設けている。走行装置９は本実施形態では装軌式であるが、装輪式であってもよい。基台１の後部にはエンジン５２が搭載され、エンジン５２の前方にはエンジン５２により駆動される油圧ポンプ４１を駆動源とする油圧モータ４２とプロペラシャフト５３を介して連結された破砕機２が配設されている。破砕機２の周方向の一部は基台１の表面上に露出して木材を破砕するようになっている。
なお、図１０に示したコンベア５８と同等のコンベアを備えているが、図１では図示を省略している。
破砕機２の上方で、かつ基台１の上部には、外部から投入された木材を回転させながら破砕機２に導く回転式タブ３が回転自在に設置されている。
破砕機２は、回転式タブ３の回転中心に対して走行方向の後方寄りに偏心した位置で回転式タブ３の底面から外周部の一部が露出している。また、回転式タブ３の上部開口部の上方には、傾動自在にホッパー５が配設されている。すなわち、回転式タブ３の外側の基台１上で、かつ破砕機２側と反対側には２本の支柱４，４が離間して立設されると共に、２本の支柱４，４の上端部には外部から投入された木材を回転式タブ３内に導くホッパー５の一側が上下方向に揺動自在にそれぞれ軸支されている。支柱４，４と反対側で、破砕機２側の基台１と、ホッパー５の他側との間には、２本の油圧シリンダ６，６（駆動手段の一例で、一つだけ図示）が上下方向に回動自在に取着されている。ホッパー５は上部の漏斗部５ａと、その下部の胴部５ｂとで構成されており、ホッパー５の傾動時に回転式タブ３の開口部上端部に近接した位置で、胴部５ｂは回転式タブ３の上部と重なりが可能となっている。
ホッパー５は木材破砕作業時には水平に対して他方側が高くなるように角度θ（図１参照）だけ傾斜した状態で設置されている。
ホッパー５の漏斗部５ａの内部には、回転式タブ３の開口部上方で、かつ破砕機２の上方を部分的に覆い、覆ってない部分に木材投入口５ｄを形成する飛散防止カバー７が投入口５ｄに向けて傾斜して設けられており、飛散防止カバー７はその上端部をヒンジ８によりホッパー５に対して開閉可能に軸支されている。なお、ホッパー５は傾動自在としても固定されていてもよい。
【００２４】
第１実施形態の作用効果を説明する。
回転式タブ３の上部開口部（木材投入口）にホッパー５を設けたので、破砕機２により破砕された木材片はホッパー５の内壁面で反射して回転式タブ３内に戻る。強い勢いで衝突した木材片はホッパー５の最初の反射箇所と反対側の内壁面で反射し、回転式タブ３内に戻る。したがって、木材片が回転式タブ３の外部に飛散する量は非常に少なくなる。図１，２に示したような傾斜したホッパー５の場合でも、木材片は破砕機２の回転方向Ｒへ（図中では車両前後方向に対して左右方向へ）飛散し、ホッパー５の胴部５ｂの内壁面に衝突して反射し、反対側の胴部５ｂや漏斗部５ａで反射し、回転式タブ３内に飛散する。これにより、木材片が回転式タブ３の外部に飛散する量を低減して、飛散防止効果を向上できる。
【００２５】
また、飛散防止カバー７をホッパー５に設けてもよい。本実施形態では飛散防止カバー７を、その外周端の一部がホッパー５の漏斗部５ａの内周面に密着し、かつホッパー５の上部開口部とで投入口５ｄを形成するその外周端の他部が下方を向くように、投入口５ｄに向けて傾斜させて設けている。これにより、回転式タブ３内から飛散防止カバー７に勢い強く衝突した木材片は、回転式タブ３内に反射されて回転式タブ３外に飛散することがない。したがって飛散防止効果が確実に得られる。尚、ホッパーの上部開口部に飛散防止カバーを設けてもよく、この場合には破砕機から飛散した木材片はホッパー及び飛散防止カバーの内壁で反射し、その大部分が回転式タブの内部に飛散するので、回転式タブの外部に飛散する木材片が大幅に減少する。
【００２６】
また、平面視での飛散防止カバー７の面積が、ホッパー５を水平に対して傾斜させている場合と水平状態にした場合との間で等しくても、投入方向から見た木材投入口５ｄの実質的な面積はホッパー５を水平に対して傾斜させた場合の方が水平状態よりも広くなる。すなわち、側面視におけるそれぞれの場合の木材投入口５ｄの最大長さＬ1 ，Ｌ0 で言うと、Ｌ1 ＞Ｌ0 となる。したがって、破砕作業時にホッパー５を傾斜させることにより、破砕する木材をホッパー５を介して回転式タブ３内へ投入し易くなり、木材の破砕作業能率を向上できる。
さらに輸送時には、油圧シリンダ６を収縮させて図１の仮想線で示すようにホッパー５の上端面が水平になるまでホッパー５を傾動させ、ホッパー５の高さを車両の輸送限界値（図１の高さＨ）内に収めることができる。このため、木材破砕機１０の輸送性を向上できる。
【００２７】
また、飛散防止カバー７をホッパー５の内部に木材投入口５ｄに向け傾斜させて設けると、飛散防止カバー７の裏側に強い勢いで衝突した木材片は飛散防止カバー７で反射しても木材投入口５ｄに飛散し難くなる。したがって飛散防止効果を確実に発揮できる。さらに、このとき、飛散防止カバー７はホッパー５に投入された木材Ｍが自重により矢印Ｔ方向に移動して投入口５ｄに移送されるシュータとしても作用するため、木材が回転式タブ３内へ滑べり落ちて投入され易くなり、木材の破砕作業能率が向上する。
【００２８】
なお、回転式タブ３内の点検や清掃時には図１に仮想線で示すように、飛散防止カバー７をヒンジ８の回りに回転させて回転式タブ３の上部開口部を開放し、点検や清掃作業を容易に行うことができる。
また、ホッパ５は破砕機２の回転方向の反対側が低くなるような傾斜で積込を容易にするため、ホッパー５の傾斜方向を水平面内に所定の角度範囲でずらしてもよい。
【００２９】
次に、図３，４に基づいて第２実施形態を説明する。図３は本実施形態に係る木材破砕機の前面図で、図４はその側面図である。
飛散防止カバー７Ａは、基台１に取着された一対の支持具４Ａ，４Ａの上部にそれぞれ設けたピン１２，１２の回りに回動自在に取着された３本の門形フレーム１３ａ，１３ｂ，１３ｃと、これら３本の門形フレーム１３ａ〜１３ｃに固定されたシート１４とにより伸縮可能に形成されている。
最も外側の門形フレーム１３ａに固定されたピン１５と基台１に固定されたブラケット１６に取着されたピン１７との間には、飛散防止カバー７Ａを伸縮する伸縮駆動手段の一例として油圧シリンダ１８が装架されている。
その他、走行装置９、基台１、破砕機２及び回転式タブ３等の構成については第１実施形態と同様である。
【００３０】
第２実施形態の作用効果を説明する。
油圧シリンダ１８を伸長して図３に示すように、伸縮可能に形成された飛散防止カバー７Ａを開くと、シート１４により回転式タブ３の開口部上方が広い範囲にわたって覆われる。これにより、破砕機２により破砕された木材片が回転式タブ３外に飛散することを確実に防止できる。
また、油圧シリンダ１８を収縮してシート１４を図３に仮想線で示す状態に折り畳んで飛散防止カバー７Ａの上端部高さを輸送限界値内に収めることにより、木材破砕機１０の輸送性を向上させることができる。
その他、走行装置９、基台１、破砕機２及び回転式タブ３等の作用効果ついては第１実施形態と同様である。
尚、本実施形態における飛散防止カバーはシート１４を蛇腹状に伸縮させているが、これに限定せず、例えば金属製プレートを複数枚スライドさせて伸縮させる構成にしてもよい。
【００３１】
次に、図５に基づいて第３実施形態を説明する。
木材破砕機１０は木材投入口７Ｂａを形成する飛散防止カバー７Ｂの縁部７Ｂｂの方向を、木材破砕機１０の平面視で破砕機２の回転軸方向と平行な位置から回転式タブ３の回転方向Ｃに所定角αだけ回転させている。なお、本実施形態では飛散防止カバー７Ｂを回転式タブ３の内部に設けているが、回転式タブ３の外部に設けてもよい。
その他、走行装置９と基台１（共に図示せず）、破砕機２及び回転式タブ３等の構成ついては第１実施形態と同様のため説明を省略する。
【００３２】
第３実施形態の作用効果を説明する。
破砕機２で破砕された木材片は、破砕機２の回転方向Ｒの速度成分と回転式タブ３の回転方向Ｃの速度成分との合成方向に飛散するが、この合成方向の位置に飛散防止カバー７Ｂが配置されている。したがってこの飛散防止カバー７Ｂに衝突して回転式タブ３の内部にはね返って戻される木材片の量が増加するため、回転式タブ３の外部に飛散する木材片の量を大幅に低減できる。
その他、走行装置９と基台１（共に図示せず）、破砕機２及び回転式タブ３等の作用効果については第１実施形態と同様のため説明を省略する。
【００３３】
図６に基づいて第４実施形態を説明する。
木材投入口７Ｃａを形成する飛散防止カバー７Ｃの縁部７Ｃｂは木材破砕機１０の平面視において破砕機２の回転軸方向に配置され、飛散防止カバー７Ｃは回転式タブ３内へ露出している破砕機２の少なくとも一部を覆うように形成されている。
その他、走行装置９と基台１（共に図示せず）、破砕機２及び回転式タブ３等の構成については第１実施形態と同様である。
【００３４】
第４実施形態の作用効果を説明する。
回転式タブ３内へ露出している破砕機２の少なくとも一部は、飛散防止カバー７Ｃの縁部７Ｃｂを破砕機２の回転軸方向に向けて飛散防止カバー７Ｃにより覆われているため、投入口７Ｃａから投入された木材は回転式タブ３内へ露出する破砕機２に直接衝突し難くなる。したがって、破砕機２の損傷を防止することができる。また、破砕機２の回転により木材片が飛散する率が高いが、破砕機２を覆っているので飛散防止効果がよい。
その他、走行装置９と基台１（共に図示せず）、破砕機２及び回転式タブ３等の作用効果については第１実施形態と同様である。
【００３５】
図７に基づいて第５実施形態を説明する。
破砕機２の上方には外部から投入された木材を回転させながら破砕機２に導く回転式タブ３が設置されている。ホッパー５Ｄは、漏斗部５Ｄａと、漏斗部５Ｄａの下部から斜め下方に連続する第１胴部５Ｄｂと、第１胴部５Ｄｂの下部に設けた第２胴部５Ｄｃとから一体に又は取着可能に構成されている。そしてホッパー５Ｄは、第２胴部５Ｄｃの下端部が回転式タブ３の上部に部分的に重なって配設され、回転式タブ３の開口部上方に支持されている。
第２胴部５Ｄｃの内面上部には飛散防止カバー７Ｄが取着されており、飛散防止カバー７Ｄの縁部７Ｄａにより木材投入口７Ｄｂが形成されている。
その他、走行装置９（図示せず）、基台１、破砕機２及び回転式タブ３等の構成については第１実施形態と同様である。
本図では、回転式タブ３に第２胴部５Ｄｃが内挿される構成を示しているが、本発明はこれに限定せず、例えば回転式タブ３に第２胴部５Ｄｃが外挿される（第２胴部５Ｄｃが回転式タブ３の外側を覆う）構成であってもよい。
【００３６】
第５実施形態の作用効果を説明する。
漏斗部５Ｄａから投入された木材は第１胴部５Ｄｂにより飛散防止カバー７Ｄ方向に移送されて、木材投入口７Ｄｂから回転式タブ３内に導かれる。
このため、投入された木材が回転式タブ３内に露出している破砕機２に直接、衝突することがなくなり破砕機２の損傷が防止される。また、破砕機２で破砕されて飛散した木材片は、飛散防止カバー７Ｄ及び第１胴部５Ｄｂにより反射して回転式タブ３内に戻されるため、ホッパー５Ｄ外に飛散する木材片の量を大幅に低減させることができる。
その他、走行装置９と基台１（共に図示せず）、破砕機２及び回転式タブ３等の作用効果については第１実施形態と同様である。
【００３７】
図８に基づいて第６実施形態を説明する。
破砕機２の上方には外部から投入した木材を回転させながら破砕機２に導く回転式タブ３が設置されている。回転式タブ３の上部開口部の上方には、回転式タブ３の外側の基台１に立設された４本の支持具４Ｅにより支持されたホッパー５Ｅが配設されている。ホッパー５Ｅは漏斗部５Ｅａと胴部５Ｅｂとからなり、胴部５Ｅｂの下部は回転式タブ３の上部と部分的に重なって結合されている。
また、漏斗部５Ｅａ上部を固定した矩形状のフレーム２０の一端部には固定カバー２１が取着されており、固定カバー２１の外側には飛散防止カバー７Ｅが、飛散防止カバー７Ｅと支持具４Ｅとに装架された油圧シリンダ２３により、フレーム２０及び固定カバー２１に対して矢印Ｅ方向に移動自在に設置されている。
その他、走行装置９（図示せず）、基台１、破砕機２及び回転式タブ３等の構成については第１実施形態と同様である。
【００３８】
第６実施形態の作用効果を説明する。
回転式タブ３に破砕する木材を投入するときには、油圧シリンダ２３を収縮して飛散防止カバー７Ｅを後退させることにより、ホッパー５Ｅの開口面積を増大させて回転式タブ３へ木材を投入する作業を容易にする。
木材破砕作業時には油圧シリンダ２３を伸長して飛散防止カバー７Ｅを前進させることにより、回転式タブ３の開口を閉鎖して破砕された木材片が回転式タブ３外へ飛散するのを防止する。
その他、走行装置９（図示せず）、基台１、破砕機２及び回転式タブ３等の作用効果については第１実施形態と同様である。
尚、木材破砕作業時に、飛散防止カバー７Ｅにより破砕機２の上方を覆ってホッパー５Ｅの木材投入口を開放したまま、木材投入は回転式タブ３の回転速度を遅くして連続的に行うようにしてもよい。
【００３９】
図９に基づいて第７実施形態を説明する。
詳細な説明は省略するが、回転式タブ３の開口部を覆う飛散防止カバー７Ｆと油圧シリンダ２４とを、いわゆるスコットラッセル機構２５により接続した構成である。油圧シリンダ２４を伸長するとスコットラッセル機構２５が仮想線の状態になり、飛散防止カバー７Ｃが仮想線の位置まで上昇して回転式タブ３の上部開口部を開放する。油圧シリンダ２４を収縮するとスコットラッセル機構２５が実線の状態になり、飛散防止カバー７Ｃが実線の位置まで下昇して回転式タブ３の開口部を閉鎖する。
その他、走行装置９、基台１及び破砕機２（共に図示せず）並びに回転式タブ３等の構成については第１実施形態と同様である。
【００４０】
第７実施形態の作用効果を説明する。
回転式タブ３に破砕する木材を投入するときには、油圧シリンダ２４を矢印の方向に伸長させてスコットラッセル機構２５の各リンクを矢印の方向に回転させると飛散防止カバー７Ｆは矢印の方向に仮想線の位置まで上昇する。このため回転式タブ３の開口部が広く開放されて回転式タブ３へ木材を投入する作業を容易にする。
木材破砕作業時には油圧シリンダ２４を収縮して飛散防止カバー７Ｆを実線の位置まで下降させることにより、回転式タブ３の開口を閉鎖して破砕された木材片が回転式タブ３外へ飛散するのを防止する。
その他、走行装置９、基台１及び破砕機２（共に図示せず）並びに回転式タブ３等の作用効果については第１実施形態と同様である。
【００４１】
以上のように、本発明によれば次のような効果を奏する。
（１）回転式タブの開口部（木材投入口）にホッパーを設けたので、飛散した木材片はホッパーの内壁で反射し、また勢いよく衝突した木材片はホッパーの反射箇所の反対側の内壁で反射し、回転式タブ内に戻される。また、ホッパーに飛散防止カバーを設けることにより、木材片はホッパー又は飛散防止カバーで反射して回転式タブ内に飛散するため、回転式タブ外に飛散する量が更に減少する。したがって、回転式タブ外への飛散の防止効果を確実に発揮できる。
（２）回転式タブにホッパーを水平に対して傾斜させて設けると、木材破砕機の平面視でホッパーの面積がホッパーが水平に対して傾斜している場合と水平状態の場合とで等しいとしても、木材投入方向からみた木材投入口の面積は傾斜させたホッパーの場合の方が水平の場合よりも増大する。このため、木材をホッパーに投入し易くなり、木材の破砕作業能率が向上する。
（３）回転式タブの開口部に傾動自在にホッパーを設けた場合、輸送時に傾動駆動手段によりホッパーを水平に傾動させてホッパーの高さを輸送限界値内に収めることができるため、木材破砕機の輸送性が向上する。
（４）また、飛散防止カバーをホッパー内に木材投入口に向けて傾斜させて設けることにより、飛散防止カバーの飛散防止効果を向上できると共に、飛散防止カバーはホッパーに投入された木材を投入口に移送するシュータとしても作用するため木材を回転式タブへ投入し易くなり、木材の破砕作業能率を向上できる。
（５）破砕された木材片は破砕機の回転方向の速度成分と回転式タブの回転方向の速度成分との合成方向に飛散するが、この合成方向の位置に対向させて飛散防止カバーを設けた場合、飛散防止カバーに衝突して回転式タブの内部に戻される木材片の量が増加する。このため、回転式タブの外部に飛散する木材片の量を大幅に低減できる。
（６）木材投入口を形成する飛散防止カバーの縁部の方向を平面視において破砕機の回転軸方向に設置し、また回転式タブ内に露出する破砕機の少なくとも一部が飛散防止カバーにより覆われている。このため、投入口から投入された木材が破砕機に直接衝突し難くなるので、破砕機の損傷を防止することができる。また、破砕機の回転による木材片の飛散を飛散防止カバーにより確実に防止できる。
（７）伸縮可能に形成された飛散防止カバーにより回転式タブの開口部の広い範囲を覆うことにより、木材片の回転式タブ外部への飛散を確実に防止できる。
また、伸縮可能に形成された飛散防止カバーを縮小して飛散防止カバーの高さを輸送限界値内に収めることにより、木材破砕機の輸送性を向上できる。
【図面の簡単な説明】
【図１】本発明に係る木材破砕機の側面図である。
【図２】第１実施形態を示す斜視図である。
【図３】第２実施形態を示す前面図である。
【図４】図３の側面図である。
【図５】第３実施形態を示す平面図である。
【図６】第４実施形態を示す平面図である。
【図７】第５実施形態を示す斜視図である。
【図８】第６実施形態を示す斜視図である。
【図９】第７実施形態を示す側面図である。
【図１０】従来技術に係る木材破砕機の側面図である。
【図１１】図１０の平面図である。
【図１２】図１０のＶ視図である。
【符号の説明】
２；破砕機、  ３；回転式タブ、  ４；支柱、  ５；ホッパー、  ５ｄ；木材投入口、  ６；駆動手段、  ７，７Ａ，７Ｂ，７Ｃ；飛散防止カバー、  ７ａ，７Ｂｂ，７Ｃｂ；縁部、  ７Ｂａ，７Ｃａ；木材投入口、  ９；走行装置、  １０；木材破砕機、  １３ａ，１３ｂ，１３ｃ；フレーム、  １４；シート。
【図１】
0004070171.tif 000002
【図２】
0004070171.tif 000003
【図３】
0004070171.tif 000004
【図４】
0004070171.tif 000005
【図５】
0004070171.tif 000006
【図６】
0004070171.tif 000007
【図７】
0004070171.tif 000008
【図８】
0004070171.tif 000009
【図９】
0004070171.tif 000010
【図１０】
0004070171.tif 000011
【図１１】
0004070171.tif 000012
【図１２】
0004070171.tif 000013